(57)【要約】【課題】歌の途中又は終わりに、歌い手の個々の特徴を評価し、評価された特徴の挿入又は除去が可能な声楽演奏評価デバイス及び方法を提供する。【解決手段】歌い手の音声信号と、基準音声信号間の類似性の測定結果の一部に関係する視覚及び音声のフィードバック、類似性の評価の最終結果に関係する視覚及び音声のフィードバック、及び特徴の各々の類似性の評価の要約の生成と、特徴の集合の追加、除去、又は修正を可能にし、それにより声楽演奏評価デバイスのモジュラ化を可能にし、歌い手の音声と基準音声の処理に基づいて行われる類似性の評価の質のレベルの調整を可能にして、類似性の評価を利用可能な計算機資源に適合させ、声楽演奏評価デバイスにスカラー特性を与える。【選択図】　　　図２
2004038170.tif 000002
【特許請求の範囲】
【請求項１】
評価されるべき歌い手の音声信号からのサンプルの一連のブロックと、基準音声信号からのサンプルの一連のブロックとを提供する入力デバイスと、
複数の特徴の処理を通して、前記入力デバイスにより供給された信号間の類似性を測定する類似性測定装置とを備える声楽演奏評価デバイスにおいて、
前記信号間の類似性の結果の一部に関係して教訓的な目的のために視覚的及び音響的に歌い手にフィードバックし、類似性の前記評価の最終結果に関係する教訓的な目的のために歌い手に視覚的及び音響的にフィードバックし、及び前記特徴の各々の類似性の評価の要約の生成のために使用されるべき情報を伝達するデバイスと、
前記特徴の集合の追加、除去、又は修正を可能にする適合デバイスであって、それにより前記声楽演奏評価デバイスのモジュラ化を可能にし、歌い手の音声と基準音声の処理に基づいて行われる類似性の前記評価の質のレベルの調整を可能にして、類似性の前記評価を利用可能な計算機資源に適合させ、前記声楽演奏評価デバイスにスカラー特性を与えるものと、
を備えることを特徴とする声楽演奏評価デバイス。
【請求項２】
ソフトウェア又はハードウェアに関わらず、歌における音声置換のシステムに組み込まれ得るプラットフォームを備えることを特徴とする請求項１記載の声楽演奏評価デバイス。
【請求項３】
アイコン、フレーズ及び音声を用いて、歌を歌っている間に評価された歌い手に、視覚的及び音響的に、評価された歌い手の音声と基準音声の処理結果に基づいて評価された各特徴の瞬間的及び個々の評価を、実験的に決定された期間で提供し、終わりに、各特徴において評価された歌い手の演奏を報告する要約を提供し、評価された歌い手が歌を歌っている間及び次の時にどのようにして彼／又は彼女の演奏を向上させるかを示す、フィードバックデバイスを備えることを特徴とする、請求項１記載の声楽演奏評価デバイス。
【請求項４】
前記評価において用いられるべき特徴を、追加、除去または修正することにより変更可能にするデバイスを備え、評価された歌い手の音声及び基準音声の処理の修正をして、前記デバイスをモジュラ化及びスカラ化することを特徴とする、請求項１記載の声楽演奏評価デバイス。
【請求項５】
声楽演奏の評価のために、利用可能な計算機資源にデバイスの適切化及び較正をする適切化及び較正装置を備え、異質グループの評価者による異質グループの歌い手の演奏の評価から収集された結果と、応用可能な計算機資源の制限と前記関連する変更とに従う前記評価デバイスにより同一グループの歌い手の同じ実行の評価から収集された結果との間の類似性を最適化することにより、評価の質の最大化を目指す、請求項１又は４記載の声楽演奏評価デバイス。
【請求項６】
異質グループの評価者の評価をシミュレートするために、評価された歌い手の音声と基準音声の処理結果に基づいて、且つ前記適切化及び較正装置によって較正された、アイコン、フレーズ、及び音声を用いて、歌の終わりに歌い手に視覚的及び音響的に彼／又は彼女の演奏の全体的な評価を提供するフィードバックデバイスを備えることを特徴とする、請求項１、４及び５のいずれか一項記載の声楽演奏評価デバイス。
【請求項７】
評価されるべき歌い手の音声信号からのサンプルの一連のブロックと、基準音声信号からのサンプルの一連のブロックとを入力デバイスから提供し、
複数の特徴の処理を通して、前記入力デバイスにより供給された信号間の類似性を測定する声楽演奏評価方法において、
前記信号間の類似性の結果の一部に関係して教訓的な目的のために視覚的及び音響的に歌い手にフィードバックし、類似性の前記評価の最終結果に関係する教訓的な目的のために歌い手に視覚的及び音響的にフィードバックし、及び前記特徴の各々の類似性の評価の要約の生成のために使用されるべき情報を伝達するステップと、
前記特徴の集合の追加、除去、又は修正を可能にし、それにより声楽演奏評価デバイスのモジュラ化を可能にし、歌い手の音声と基準音声の処理に基づいて行われる類似性の前記評価の質のレベルの調整を可能にして、類似性の前記評価を利用可能な計算機資源に適合させ、声楽演奏評価方法にスカラー特性を与えステップと、
を備えることを特徴とする声楽演奏評価方法。
【請求項８】
ソフトウェア又はハードウェアに関わらず、歌における音声置換のシステムに組み込まれ得るプラットフォームを用いることを特徴とする請求項７記載の声楽演奏評価方法。
【請求項９】
アイコン、フレーズ及び音声を用いて、歌を歌っている間に評価された歌い手に、視覚的及び音響的に、評価された歌い手の音声と基準音声の処理結果に基づいて評価された各特徴の瞬間的及び個々の評価を、実験的に決定された期間で提供するステップと、終わりに、各特徴において評価された歌い手の演奏を報告する要約を提供するステップと、評価された歌い手が歌を歌っている間及び次の時にどのようにして彼／又は彼女の演奏を向上させるかを示す、フィードバックステップとを備えることを特徴とする、請求項７記載の声楽演奏評価方法。
【請求項１０】
前記評価において用いられるべき特徴を、追加、除去または修正することにより変更可能にするステップを備え、評価された歌い手の音声及び基準音声の処理の修正をして、前記声楽演奏評価方法をモジュラ化及びスカラ化することを特徴とする、請求項７記載の声楽演奏評価方法。
【請求項１１】
声楽演奏の評価のために、利用可能な計算機資源にデバイスの適切化及び較正をする適切化及び較正装置を備え、異質グループの評価者による異質グループの歌い手の演奏の評価から収集された結果と、応用可能な計算機資源の制限と前記関連する変更とに従う前記声楽評価方法により同一グループの歌い手の同じ実行の評価から収集された結果との間の類似性を最適化することにより、評価の質の最大化を目指す、請求項７又は１１記載の声楽演奏評価方法。
【請求項１２】
異質グループの評価者の評価をシミュレートするために、評価された歌い手の音声と基準音声の処理結果に基づいて、且つ前記適切化及び較正によって較正された、アイコン、フレーズ、及び音声を用いて、歌の終わりに歌い手に視覚的及び音響的に彼／又は彼女の演奏の全体的な評価を提供するフィードバックデバイスをするステップを備える、請求項７、１０及び１１のいずれか一項記載の声楽演奏評価方法。
【発明の詳細な説明】
【０００１】
【発明の属する技術分野】
本発明は、歌い手の演奏の様々な特徴を基準音声と比較して評価し、その評価中に、彼／又は彼女の演奏を改善する視覚的な指標をその歌い手に提供し、その評価の終わりに、各特徴に対する彼／又は彼女の演奏の要約と最終的な概略結果を含む、その歌い手の演奏に関する概略レポートを提供する様に設計された、声楽演奏評価デバイス及び方法に関する。
【０００２】
【従来の技術】
問題としているデバイスは、評価されるべき特徴の挿入又は除去を可能にするために、モジュラ式に、且つ、評価の実行のために利用可能な異なるコンピュータ資源を持つシステム内で使用できるようにスケーラブルな方法で開発されていた。
【０００３】
このデバイス対象は、特に、しかし排他的ではなく、カラオケとして広く知られた、歌における音声の置き換え機能を備えた電子システムにおいて使用されるべく開発された。
【０００４】
周知のように、歌における音声代替システム（カラオケ）は、基本的に、歌から基準音声に相当するオーディオ信号を除去することにより作動し、その基準信号は歌い手の音声に相当するオーディオ信号を挿入することにより置き換えられる。
【０００５】
添付の図１は音声置き換えの通常のシステム（又はカラオケ）Ｉを含む装置のブロック図を示す。このブロック図に示されるように、元の歌は、ＤＶＤやＣＤやメモリや任意の他のソースであるオーディオ源１からのオーディオ信号である。このシステムＩは元の歌から音声信号を除去する音声信号除去装置２を含んでいる。この除去は、オーディオ信号のタイプ（アナログかデジタルか）によって、及びオーディオ信号のコード化に依存して、アルゴリズム又は適当なフィルタを介して行われる。このシステムＩはまた、（例えばマイクロホン４から発生する）歌い手の音声信号を挿入する音声信号挿入装置４を含んでいる。この音声信号の挿入はミキシング処理（又は混合）を通して、又は伴奏と歌い手の音声との同時かつ同期的な再生を通して行われる。
【０００６】
音声代替（又はカラオケ）のためのこれら通常のシステムの楽しむ能力を向上させるために、歌い手は一般にその歌の終わりに彼／又は彼女の演奏の成績を受け取る。
【０００７】
成績の計算機能を持つカラオケ装置の様々な例が広く知られている。それらの一つは米国特許第５，５５７，０５６号に開示されている。そこでは成績は歌の伴奏信号のボリュームと歌い手の音声信号のボリュームとを比較することにより計算される。米国特許５，７１９，３４４号も、基準音声信号と歌い手の音声信号との測定に基づいて成績を得る方法を開示している。
【０００８】
米国特許６，３２６，５３６号は、低い処理能力の計算システムに対して提供される、基準音声と歌い手の音声の測定された音声に基づいて成績を計算する方法を開示している。
【０００９】
より最近では、ユーザの楽しみを増大させるために、米国特許第６，３５２，４３２号に含まれる計算システムのような、改良が提案されている。この特許においては、多くの歌い手が同じ歌を同時に歌い、歌っている間に一人の歌い手の他の歌い手に対する優劣の情報を得るようにしている。この同じ情報はアニメーション化された画像の間の内容を表す画像の形式で提出される。この装置はトーン、リズム及びボリュームに関する情報を利用する。
【００１０】
米国特許第５，７５０，９１２号は歌い手の音声をトーンの情報を使用することにより元の歌に従って歌い手の音声を変更し、元よりもよい演奏を再生するようにすることを提案している。これとは異なり、米国特許第５，８０４，７５２号はデユエットで歌う二人の歌い手に対して個々の成績を計算する方法を提供している。
【００１１】
【発明が解決しようとする課題】
提案されている解決手段には様々な欠点が見られる。まず、歌い手の演奏の判定された特徴の評価を提供するデバイスは、大量の計算機資源を必要とし、装置の価格が高くなる。他方で、制限された計算機資源の下で使用されるデバイスは、装置とそれぞれのアクセサリ、特にマイクロホンに極端に依存しており、歌い手の演奏に本質的に関係していない、ボリュームのみの評価の故に十分ではない。
【００１２】
提案されたデバイスによる評価はまた、歌の終わりにのみ結果を提供する場合も不十分である。また、これらのデバイスが歌い手の成績を１つより多い特徴について評価する場合は、それらのデバイスは結果を個々に提供せず、それにより各個々の特徴における彼／又は彼女の演奏をどのようにして改善するかについてのヒントを得ることが妨げられる。
【００１３】
こうして、提供された解決手段のいずれも、歌っている間の彼／又は彼女の演奏に関する詳細な情報を提供して、彼／又は彼女が歌っている間の演奏を向上できるようにすることは提案しておらず、また、歌の終わりにその歌い手が次の時に彼／又は彼女の演奏をどのようにして向上させるかについての情報を提供することは提案していない。
【００１４】
ただ一つの明らかな例外は、上述の米国特許第６，３５２，４３２号で提案されたシステムである。しかし、このシステムは単に歌い手の演奏が彼／又は彼女と競争をしている他の歌い手より良いか悪いかを表示するだけであり、彼／又は彼女の演奏を改善するにはどうしたらよいかを示すものではない。
【００１５】
まとめると、利用可能な計算機資源が低レベルの装置にも、計算機資源が高レベルの装置であって、したがって、より高価であり、歌の途中又は終わりに、歌い手の個々の特徴を独立的に評価し、歌い手の演奏に関してガイドして評価された特徴を含ませたり除去したりすることを可能にするものにも使用可能な評価デバイスは存在していない。
【００１６】
すべてのこれらの特徴を統合しており知られている評価デバイスにおける欠点を結果的に除去する評価デバイスを提供することを目的として、この評価中の音声演奏評価デバイス及び方法は、様々なタイプのシステム及び環境で使用されるように構成され、カラオケ市場の特定の部分に限定されず、また、この市場のみに限定されず、職業歌手による使用を含む他の装置にも適用される。
【００１７】
本発明によるデバイスはさらに、評価の適切化及び較正方法の利用によって、市場において現在利用可能な最良の評価デバイスよりも優れた品質を持つ評価を提供する。
【００１８】
【課題を解決するための手段】
音声の記述における主たる特徴は、概略的には、
・メロディ（又はトーン）：各ノートの一連の基本的な周波数
・リズム：各ノートの一連の期間
・ティンブレ（音色）：各ノートのスペクトル成分
・ハーモニィ：同時に演奏される２つ以上のノートの組み合わせ
・評価の納得のいく結果は、本発明によるデバイスが特徴の任意の集合の使用を可能にすることを考慮に入れて、メロディ、リズム、及び音声信号のボリュームを使用することにより得られる。
【００１９】
本発明によるデバイスは、モジュール性の特徴を含み、それにより、評価の特徴（モジュール）の追加、除去、又は変形が可能になり、また、スケールの特徴を含み、それにより、評価されるべき特徴の再定義と歌い手の音声及び基準音声の処理に必要な資源の再ディメンショニングが可能になる。また、本発明により提供される評価デバイスは、ソフトウェア又はハードウェアの如何を問わず、（使用されるプラットフォームの如何に関わらず）ＤＶＤ装置に設けられた、又はデジタル信号処理装置（ＤＳＰ）内、又は他のプラットフォーム内のプロセッサ、といった様々なシステムへの導入が可能である。
【００２０】
本発明の第１の態様によれば、歌い手の評価されるべき音声信号からのサンプルの一連のブロックと、基準音声信号からのサンプルの一連のブロックとを提供する入力デバイスと、複数の特徴の処理を通して、入力デバイスにより供給された信号間の類似性の測定を行う測定デバイスとを含む声楽演奏評価デバイスにおいて、
信号間の類似性の結果の一部に関係して教訓的な目的のための視覚及び音声のフィードバック、類似性の評価の最終結果に関係する教訓的な目的のための視覚及び音声のフィードバック、及び特徴の各々の類似性の評価の要約の生成のために使用されるべき情報の伝達デバイスと、特徴の集合の追加、除去、又は修正を可能にする適合デバイスであって、それにより声楽演奏評価デバイスのモジュラ化を可能にし、歌い手の音声と基準音声の処理に基づいて行われる類似性の評価の質のレベルの調整を可能にして、類似性の評価を利用可能な計算機資源に適合させ、声楽演奏評価デバイスにスカラー特性を与えるものと、を備えることを特徴とする、声楽演奏評価デバイスが提供される。
【００２１】
本発明の第２の態様によれば、上記第１の態様において、ソフトウェア又はハードウェアに関わらず、歌における音声置換のシステム（カラオケ）のような、様々なシステムに組み込まれ得るデバイス、ＤＶＤ、ＣＤ装置、その他のプロセッサ、デジタル信号処理装置（ＤＳＰ）、及び任意の他のプラットフォームのいずれかを備えている。
【００２２】
本発明の第３の態様によれば、上記第１の態様において、アイコン、フレーズ及び音声を用いて、歌を歌っている間に評価された歌い手に、視覚的及び音響的に、評価された歌い手の音声と基準音声の処理結果に基づいて評価された各特徴の瞬間的及び個々の評価を、実験的に決定された期間で提供し、終わりに、各特徴において評価された歌い手の演奏を報告する要約を提供し、評価された歌い手が歌を歌っている間及び次の時にどのようにして彼／又は彼女の演奏を向上させるかを示す、フィードバックデバイスを備えている。
【００２３】
本発明の第４の態様によれば、上記第１の態様において、評価において用いられるべき特徴を、追加、除去または修正することにより変更可能にするデバイスと、評価された歌い手の音声及び基準音声の処理の修正をして、デバイスをモジュラ且つスカラにすることにより特徴付けられる。
【００２４】
本発明の第５の特徴によれば、上記第１又は第４の態様において、評価中の声楽演奏のためのデバイスを利用可能な計算機資源に適合化させ、異質グループの評価者による異質グループの歌い手の演奏の評価から収集された結果と、応用可能な計算機資源の制限と関連する変更とに従う評価デバイスにより同一グループの歌い手の同じ実行の評価から収集された結果との間の類似性を最適化することにより、評価の質の最大化を目指す。
【００２５】
本発明の第６の態様によれば、上記第１、第４又は第５の態様において、異質グループの評価者の評価をシミュレートするために、評価された歌い手の音声と基準音声の処理結果に基づいて、且つ適正化と較正の方法によって較正された、アイコン、フレーズ、及び音声を用いて、歌の終わりに歌い手に視覚的及び音響的に彼／又は彼女の演奏の全体的な評価を提供するフィードバックデバイスを備えている。
【００２６】
本発明により、第１から第６のいずれかに記載の装置により実行される声楽演奏評価方法も提供される。
【００２７】
本発明の他の態様により、評価されるべき歌い手の音声信号からのサンプルの一連のブロックと、基準音声信号からのサンプルの一連のブロックとを提供する入力デバイスに基づき、且つ複数の特徴の処理を通して、前記入力デバイスにより供給された信号間の類似性の測定に基づく声楽演奏評価デバイスにおいて、前記信号間の類似性の結果の一部に関係して教訓的な目的のために視覚的及び音響的な歌い手へのフィードバック、類似性の前記評価の最終結果に関係する教訓的な目的のための歌い手への視覚的及び音響的にフィードバック、及び前記特徴の各々の類似性の評価の要約の生成のために使用されるべき情報の伝達デバイスと、前記特徴の集合の追加、除去、又は修正を可能にする適合方法であって、それにより前記声楽演奏評価デバイスのモジュラ化を可能にし、歌い手の音声と基準音声の処理に基づいて行われる類似性の前記評価の質のレベルの調整を可能にして、類似性の前記評価を利用可能な計算機資源に適合させ、前記声楽演奏評価デバイスにスカラー特性を与えるものと、により特徴付けられる声楽演奏評価デバイス及び方法が提供される。
【００２８】
また、上記他の態様において、ソフトウェア又はハードウェアに関わらず、歌における音声置換のシステム（カラオケ）のような、様々なシステムに組み込まれ得るＤＶＤ，ＣＤ装置その他ノプロセッサ、デジタル信号処理装置（ＤＳＯ），又は任意の他のプラットフォームにより特徴付けられる声楽演奏評価デバイス及び方法が提供される。
【００２９】
また、上記他の態様において、アイコン、フレーズ及び音声を用いて、歌を歌っている間に評価された歌い手に、視覚的及び音響的に、評価された歌い手の音声と基準音声の処理結果に基づいて評価された各特徴の瞬間的及び個々の評価を、実験的に決定された期間で提供し、終わりに、各特徴において評価された歌い手の演奏を報告する要約を提供し、評価された歌い手が歌を歌っている間及び次の時にどのようにして彼／又は彼女の演奏を向上させるかを示す、フィードバックデバイスにより特徴付けられる声楽演奏評価デバイス及び方法が提供される。
【００３０】
また、上記他の態様において、前記評価において用いられるべき特徴を、追加、除去または修正することにより変更可能にするデバイスを備え、評価された歌い手の音声及び基準音声の処理の修正をして、前記デバイスをモジュラ化及びスカラ化することにより特徴付けられる声楽演奏評価デバイス及び方法が提供される。
【００３１】
また、上記他の態様において、声楽演奏の評価のために、利用可能な計算機資源にデバイスを適合化させる方法であって、異質グループの評価者による異質グループの歌い手の演奏の評価から収集された結果と、応用可能な計算機資源の制限と前記関連する変更とに従う前記評価デバイスにより同一グループの歌い手の同じ実行の評価から収集された結果との間の類似性を最適化することにより、評価の質の最大化を目指すことにより特徴付けられる声楽演奏評価デバイス及び方法が提供される。
【００３２】
また、上記他の態様において、異質グループの評価者の評価をシミュレートするために、評価された歌い手の音声と基準音声の処理結果に基づいて、且つ前記適切化と較正の前記方法によって較正された、アイコン、フレーズ、及び音声を用いて、歌の終わりに歌い手に視覚的及び音響的に彼／又は彼女の演奏の全体的な評価を提供するフィードバックデバイスにより特徴付けられる声楽演奏評価デバイス及び方法が提供される。
【００３３】
【発明の実施の形態】
添付の図２は、図１に示したような、音声の置換（カラオケでよい）の通常のシステムを含むが、本発明による評価デバイスＩＩも含む装置のブロック図を示す。
【００３４】
上記ブロック図に示されるように、元の歌は、ＤＶＤやＣＤやメモリや任意の他の資源であるオーディオ資源１から発生するオーディオ信号である。システムＩは基準信号の除去装置２と、（例えば、マイクロホンからの）歌い手の音声信号挿入装置３を含む。
【００３５】
同じブロック図に示されるように、本発明による評価デバイスＩＩは、入力として、資源１で発生した元の歌から伴奏除去装置５により伴奏が除去された基準音声の信号を受け取り、また、例えば、マイクロホン４により生成されたオーディオ信号から得られた歌い手の音声信号を受け取る。評価は、入力として受け取られた信号を処理装置６により処理することにより行われる。異質グループの評価者による評価結果、及び同一集合の歌を歌うためのデバイスの評価結果から発生した較正情報を用いる、適切化及び較正装置７によって、デバイスが変形されたり新たなプラットフォームに転送されたりすると、利用可能な計算機資源に対するこの処理の適切化と評価結果の較正が行われる。評価結果はユーザインターフェース８に転送される。ユーザインターフェース８は、歌を歌っている間に視覚的及び音響的なフィードバックを生成し、様々な評価された特徴に関する情報を提供し、歌の終わりには、評価された歌い手の概略的な演奏と評価された特徴の各々に関係する演奏を表す視覚的及び音響的な評価を提供する。
視覚的なフィードバックのデバイスは、歌い手が如何にしてその演奏を向上させるかを示すために、アイコン、文章、及び音を用いて、歌い手が歌っている間の各特徴の瞬間的且つ個々の評価を歌い手に提供する。
【００３６】
評価結果の質を保障するために、かなりの数の自発的評価者による実地試験の実現を通して評価のデータベースが用意された。これらの試験は、異質グループの歌い手の演奏の記録及び、各自発的評価者による、それぞれの歌い手の演奏の評価の記録からなっている。すべての評価が完了すると、それらは集計されて、デバイスにより供給される歌い手のグローバルな評価の較正基準として用いられる。
【００３７】
本発明によるデバイスのモジュラ及びスカラ特性に関しては、また、その容易な順応性と携帯性を可能にするために、本発明による評価デバイスは次の特性を備えている。
・このデバイスは、決定された特徴の追加、除去、及び／又は修正を可能とする、各特徴の評価の実行におけるインターフェースの標準化を行う。さらに、入力の処理はその結果の質とそれにより消費される計算機資源の量との間の関係に基づいて定義される。
・このデバイスはさらにサンプルの取得の実行におけるインターフェースの標準化を行う。これにより、基準チャネルと評価されたチャネルとの任意の結合が最小の取り組みで実現可能になる。
・このデバイスはサンプルの取得のパラメータ化を行う。こうして、各基準チャネル又は各評価チャネルに対して、サンプリングレート及びその取得に関係する他のパラメータの変更が最小の取り組みで実現可能になる。これは携帯性のために重要である。取得のパラメータはそのデバイス（ｄｅｖｉｃｅ）が内蔵されている装置（ａｐｐａｒａｔｕｓ）に依存するからである。
・最後に、入力及び出力デバイスの標準化を通して、このデバイスは全体としてそのインターフェースを最小化する。こうして、決定された装置（ａｐｐａｒａｔｕｓ）内にデバイス（ｄｅｖｉｃｅ）を内蔵させるタスクは元のシステムにおける僅かな変更を含む。
【００３８】
デバイスを利用可能な計算機資源の量を適正化するために処理が定義されると、評価量の最大化のためのデバイスの較正は、歌い手の異質グループの演奏評価から評価者の異質グループにより集められた結果と、歌い手の同じグループ内での同じ実行の評価から本発明による評価デバイス（利用可能な資源の制限を伴って）により集められた結果との類似性の最適化を通して、行われる。利用可能な計算機資源が多いほど、評価は良好となる。スカラ特性により、これらの資源が改善された方法で使用でき、利用可能な資源の集合の故に、周知のものより優れた質の評価が適用される。
【００３９】
本発明によるデバイスの実現による利点は、ソフトウェアでデバイスを実現する場合、価格ゼロで追加のハードウェアによる解決の可能性；計算機資源が制限されていても、現在市場にあるデバイスよりもよりよい品質の評価デバイスの開発が可能になるという大きな自由度；及び異なるプラットフォーム内での実現の可能性である。
【図面の簡単な説明】
【図１】従来の音声置き換えシステム（カラオケ）を含む装置を示すブロック図である。
【図２】本発明の一実施の形態による声楽演奏評価デバイスを含む装置を示すブロック図である。
【符号の説明】
Ｉ…カラオケ
ＩＩ…評価デバイス
１…オーディオ資源
２…音声信号除去装置
３…音声信号挿入装置
４…マイクロホン
５…伴奏除去装置
６…処理装置
７…適切化及び較正装置
８…ユーザインターフェース
【図１】
2004038170.tif 000003
【図２】
2004038170.tif 000004